(57)【要約】      （修正有）【課題】髪留めクリップを確実に係止しておくことのでき、さらにクリップを衛生的に保持する髪留めクリップ保持バンドを提供する。【解決手段】髪留めクリップ保持バンド１は、手首に巻くバンド３に髪留めクリップを保持するための係止帯をアーチ状に設けたこと、係止帯を波状にして係止部３ａを複数にしたこと、手首から腕方向に髪留めクリップを当てるための延設帯を延ばしたこと、係止帯を着脱可能としたこと、係止帯を斜めに取り付けたこと、バンドに巻着材を内包させて手首に巻くこと、係止帯に保持材を内包させて形状を維持すること、バンドにマグネットを内包させたこと、及びクリップでバンドを掛着することを特徴とする。【選択図】図３
2011019824.tif 000002
【特許請求の範囲】
【請求項１】
手首に巻くバンドに髪留めクリップを保持するための係止帯をアーチ状に設けたことを特徴とする髪留めクリップ保持バンド。
【請求項２】
係止帯を波状にして係止部を複数にしたことを特徴とする請求項１に記載の髪留めクリップ保持バンド。
【請求項３】
手首から腕方向に髪留めクリップを当てるための延設帯を延ばしたことを特徴とする請求項１又は２に記載の髪留めクリップ保持バンド。
【請求項４】
係止帯を着脱可能としたことを特徴とする請求項１乃至３のいずれか１項に記載の髪留めクリップ保持バンド。
【請求項５】
係止帯を斜めに取り付けたことを特徴とする請求項１乃至４のいずれか１項に記載の髪留めクリップ保持バンド。
【請求項６】
バンドに巻着材を内包させて伸びた状態の維持と丸まる力を付与したことを特徴とする請求項１乃至５のいずれか１項に記載の髪留めクリップ保持バンド。
【請求項７】
係止帯に保持材を内包させて形状を維持することを特徴とする請求項１乃至６のいずれか１項に記載の髪留めクリップ保持バンド。
【請求項８】
バンドにマグネットを内包させたことを特徴とする請求項１乃至７のいずれか１項に記載の髪留めクリップ保持バンド。
【請求項９】
クリップでバンドを掛着することを特徴とする請求項１乃至８のいずれか１項に記載の髪留めクリップ保持バンド。
【発明の詳細な説明】
【技術分野】
【０００１】
本発明は、使用前又は使用後の髪留めクリップを手首に係止しておくことのできる髪留めクリップ保持バンドに関する。
【背景技術】
【０００２】
従来から理容又は美容等の髪を整える施設において、髪を仮止めするために髪留めクリップ等を使用しているが、手早く作業するためには、手の届かない範囲に置いていたりすると不便である。また、髪留めクリップが皮膚に触れると衛生的でなく、また薬品によって施術者の皮膚が炎症することもあった。
【０００３】
特許文献１に記載されているように、腕部に装着してロッドペーパやクリップを簡易に係止しながら補助者を必要とすることなく、作業を円滑に遂行しうる集合係止具の考案も公開されている。
【発明の概要】
【発明が解決しようとする課題】
【０００４】
しかしながら、特許文献１に記載の考案は、ロッドペーパをばねで押さえて係止することを目的とする構造であり、幅の広い基枠及びペーパ枠ではクリップが左右に動いてしまう可能性がある。
【０００５】
そこで、本発明は、髪留めクリップを確実に係止しておくことのでき、さらにクリップを衛生的に保持する髪留めクリップ保持バンドを提供することを目的とするものである。
【課題を解決するための手段】
【０００６】
上記の課題を解決するために、本発明である髪留めクリップ保持バンドは、手首に巻くバンドに髪留めクリップを保持するための係止帯をアーチ状に設けたことを特徴とする構成とした。
【発明の効果】
【０００７】
本発明は、髪留めクリップを手首に係止しておくことで、使用後の髪留めクリップを台に置いたり、使用する際に台から取るといった余計な動作が減り、作業を迅速に行うことができるようになる。
【０００８】
本発明は、係止帯を波状にして係止部を複数にしたことで、複数の髪留めクリップを別々に保持することができる。
【０００９】
本発明は、手首から腕方向に髪留めクリップを当てるための延設帯を延ばしたことで、髪留めクリップの先端が腕や衣服などに接触することを防止し、衛生的に使用することができる。
【００１０】
本発明は、係止帯を着脱可能としたことで、係止帯を斜めに取り付けたりすることが可能となり、髪留めクリップを扱い易いように調整することができる。
【００１１】
本発明は、バンドに巻着材を内包させて伸びた状態の維持と丸まる力を付与することでバンドを容易に着脱することができ、かつ、手首から落下することなく確実に巻き付けることができる。
【００１２】
本発明は、係止帯に保持材を内包させて形状を維持することで、係止帯が潰れて髪留めクリップを取り付け難くなることを防止することができる。
【００１３】
本発明は、バンドにマグネットを内包させたことで、金属製の小道具をバンドに磁着させておくことができる。
【００１４】
本発明は、クリップ、例えば、Ｕ字クリップ等でバンドを掛着することで、手首だけでなく腰のベルト、ズボン等に掛けて使用することも可能となる。
【図面の簡単な説明】
【００１５】
【図１】本発明の実施例１に係る髪留めクリップ保持バンドの斜視図である。
【図２】本発明の実施例１に係る髪留めクリップ保持バンドの平面図である。
【図３】本発明の実施例１に係る髪留めクリップ保持バンドの正面図である。
【図４】本発明の実施例１に係る髪留めクリップ保持バンドの手首当てを示す図である。
【図５】本発明の実施例１に係る髪留めクリップ保持バンドのバンドを示す図である。
【図６】本発明の実施例１に係る髪留めクリップ保持バンドを装着した図である。
【図７】本発明の実施例１に係る髪留めクリップ保持バンドに係止する髪留めクリップを示す図である。
【図８】本発明の実施例１に係る髪留めクリップ保持バンドに髪留めクリップを係止した図である。
【図９】本発明の実施例２に係る髪留めクリップ保持バンドの斜視図である。
【図１０】本発明の実施例２に係る髪留めクリップ保持バンドの平面図である。
【図１１】本発明の実施例２に係る髪留めクリップ保持バンドの正面図である。
【図１２】本発明の実施例２に係る髪留めクリップ保持バンドを装着した図である。
【図１３】本発明の実施例２に係る髪留めクリップ保持バンドに髪留めクリップを係止した図である。
【図１４】本発明の実施例３に係る髪留めクリップ保持バンドの手首当てを示す図である。
【図１５】本発明の実施例３に係る髪留めクリップ保持バンドの係止帯を付け替えた図である。
【図１６】本発明の実施例４に係る髪留めクリップ保持バンドを装着した図である。
【図１７】本発明の実施例５に係る髪留めクリップ保持バンドの斜視図である。
【図１８】本発明の実施例５に係る髪留めクリップ保持バンドを装着した図である。
【図１９】本発明の実施例６に係る髪留めクリップ保持バンドの平面図及び正面図である。
【図２０】本発明の実施例６に係る髪留めクリップ保持バンドを装着した図である。
【発明を実施するための形態】
【００１６】
髪留めクリップ保持バンドは、係止帯を波状にして係止部を複数にしたこと、手首から腕方向に髪留めクリップを当てるための延設帯を延ばしたこと、係止帯を着脱可能としたこと、係止帯を斜めに取り付けたこと、バンドに巻着材を内包させて伸びた状態の維持と丸まる力を付与したこと、係止帯に保持材を内包させて形状を維持すること、バンドにマグネットを内包させたこと、及びクリップでバンドを掛着することを特徴とする。
【実施例１】
【００１７】
図１は、本発明の実施例１に係る髪留めクリップ保持バンドの斜視図である。図２は、本発明の実施例１に係る髪留めクリップ保持バンドの平面図である。図３は、本発明の実施例１に係る髪留めクリップ保持バンドの正面図である。
【００１８】
髪留めクリップ保持バンド１は、手首当て２とバンド３とからなる。尚、バンド３が髪留めクリップを保持する係止帯を兼ねており、手首当て２とバンド３が手首に巻くバンドとして機能する。
【００１９】
手首当て２は、手首に巻いた際に手首の周囲に当てられる皮製等の部材であり、両端は接続させずにバンド３を通すための切込み２ａを設け、左右の切込み２ａの間にはバンド３を固定するための複数の留穴２ｂを空ける。
【００２０】
切込み２ａは、左側に２箇所、右側に２箇所設けるが、手首当て２の表側にあるバンド３を一旦手首当て２の裏側に入れ、また手首当て２の表側に出すことで、手首当て２とバンド３とを一体化する。
【００２１】
バンド３は、手首当て２に沿って巻かれる皮製等の部材であり、両端は、切込み２ａを通した上で、１つのボタン３ｄと複数の突金具３ｅにより留め位置を調整して連結することができる。
【００２２】
留穴２ｂの位置において留具３ｃで繋いで固定部３ｂを形成するが、固定部３ｂ間をアーチ状に湾曲させることで係止部３ａを形成する。係止部３ａを複数設けることで、バンド３が波状になる。係止部３ａは連設しているが、連設していなくても良い。
【００２３】
尚、左側の切込み２ａ付近、右側の切込み２ａ付近、それらの間に２箇所、合計４箇所の留穴２ｂを空けて４箇所の固定部３ｂを形成することで、３つの係止部３ａを設けることができる。
【００２４】
手首当て２と係止部３ａとの間に空間が存在するので、係止部３ａに髪留めクリップ４を挟んで、髪留めクリップ４を手首の位置に保持しておくことができる。係止部３ａが複数あれば、髪留めクリップ４を留めておく領域が複数になり、利便性が向上する。
【００２５】
図４は、本発明の実施例１に係る髪留めクリップ保持バンドの手首当てを示す図である。図５は、本発明の実施例１に係る髪留めクリップ保持バンドのバンドを示す図である。
【００２６】
手首当て２は、手首の周りに当てるため、裏面は皮膚に優しい素材を用い、また、表面において髪留めクリップ４を保持した際に、髪留めクリップ４が皮膚等に接触しないように幅を広めにする。
【００２７】
バンド３は、手首当て２に通す必要があるため手首当て２より幅は狭いが、手首に巻いた際に両端を連結する必要があるため手首当て２より長い。また、係止部３ａが湾曲することから、固定部３ｂの間隔は、手首当て２の留穴２ｂの間隔より広くなる。
【００２８】
図６は、本発明の実施例１に係る髪留めクリップ保持バンドを装着した図である。図７は、本発明の実施例１に係る髪留めクリップ保持バンドに係止する髪留めクリップを示す図である。図８は、本発明の実施例１に係る髪留めクリップ保持バンドに髪留めクリップを係止した図である。
【００２９】
手５に手首当て２を巻いてバンド３が外れないように固着することで、髪留めクリップ保持バンド１を装着することができる。尚、固着方法としては、ボタン、面ファスナーなどの手段がある。
【００３０】
髪留めクリップ４は、上クリップ４ａと下クリップ４ｂを支軸４ｃの位置で連結し、先端側が閉じるようにバネ等で付勢したもので、後端側の摘み４ｄを閉じることで、先端側の上クリップ４ａと下クリップ４ｂを開くことができる。
【００３１】
摘み４ｄを開放すれば、上クリップ４ａと下クリップ４ｂが閉じるので、間に髪などを挟むことができ、髪留めクリップ４を使用しない時は、手５に装着した髪留めクリップ保持バンド１に留めておけば良い。
【００３２】
髪留めクリップ４を一時的に使用しない場合に、係止帯７に挟んでおくことで、次に使用する際にすぐに手に取ることができ、髪留めクリップ４を台等に置くときと比較して、作業効率が大幅に向上する。
【実施例２】
【００３３】
図９は、本発明の実施例２に係る髪留めクリップ保持バンドの斜視図である。図１０は、本発明の実施例２に係る髪留めクリップ保持バンドの平面図である。図１１は、本発明の実施例２に係る髪留めクリップ保持バンドの正面図である。
【００３４】
髪留めクリップ保持バンド１ａは、手首当て６と係止帯７とバンド８とからなる。髪留めクリップ保持バンド１ａでは、係止帯７を設けた手首当て６をバンド８により手首に装着する。
【００３５】
手首当て６は、手の甲側に当てる皮製等の部材であり、手首から腕の方向に向かって延設帯６ａを延ばし、延設帯６ａ上に留具７ａで係止帯７を取り付ける。また、手首当て６には、バンド８を通すための切込み６ｂを２箇所入れる。
【００３６】
延設帯６ａは、バンド８を取り付ける部分から腕方向に手首当て６を延長するこで、腕の表面を保護するものである。係止帯７に挟んだ髪留めクリップ４の先端が腕や衣服に接触するのを防止することができる。また、髪留めクリップ４を衛生的に保持することができる。
【００３７】
係止帯７は、アーチ状に湾曲した状態で取り付けられた髪留めクリップ４を保持する部材である。延設帯６ａの幅よりも長くし、延設帯６ａの左端から右端に渡すように、かつ、延設帯６ａとの間に隙間が生じるように、留具７ａで固着する。
【００３８】
バンド８は、皮製等の部材であり、手首当て６の左端に入れた切込み６ｂから手首当て６の上側に出し、手首当て６の右端に入れた切込み６ｂから手首当て６の下側に入れることで、手首当て６に通す。
【００３９】
バンド８の内部に形状を維持できる板状の部材、例えば、スチール等の金属製の部材を入れることで、装着時に一旦伸ばして手首に巻き付け、その取り付けた状態のまま使用することが可能となる。金属製の部材としては、所謂「ぜんまいばね」などが例示できる。
【００４０】
図１２は、本発明の実施例２に係る髪留めクリップ保持バンドを装着した図である。図１３は、本発明の実施例２に係る髪留めクリップ保持バンドに髪留めクリップを係止した図である。
【００４１】
バンド８を伸ばした状態で、手５に手首当て６とそこから延びる延設帯６ａを当てて、バンド８を巻き付かせて手首にフィットさせることで、髪留めクリップ保持バンド１ａを装着することができる。
【００４２】
髪留めクリップ４は、手首当て６よりも長く、先端が腕の方に出てしまうので、先端を延設帯６ａで受けることにより、髪留めクリップ４自体又は髪留めクリップ４への付着物から作業者を保護することができる。
【実施例３】
【００４３】
図１４は、本発明の実施例３に係る髪留めクリップ保持バンドの手首当てを示す図である。図１５は、本発明の実施例３に係る髪留めクリップ保持バンドの係止帯を付け替えた図である。
【００４４】
髪留めクリップ保持バンド１ｂは、延設帯６ａのある手首当て６において、複数の留穴６ｃを設け、係止帯７を着脱可能にすると共に、係止帯７の取付位置を自由に変更できるようにしたものである。着脱方式として、例えば、ボタンとホック式が例示できる。
【００４５】
例えば、左側一番上の留穴６ｃと右側真ん中の留穴６ｃに、留具７ａで係止帯７を取り付ければ、髪留めクリップ４を差し込む角度が傾き、係止帯７に角度がない場合に比べて、腕を傾けなくて済み、使い易さが向上する。また、より多くの髪留めクリップ４を保持できるようになる。
【実施例４】
【００４６】
図１６は、本発明の実施例４に係る髪留めクリップ保持バンドを装着した図である。  髪留めクリップ保持バンド１ｃは、バンド１０に髪留めクリップ４を挟むための係止帯１０ａを複数設け、バンド１０にＵ字等のクリップ９を備えたものである。
【００４７】
髪留めクリップ保持バンド１ｃを手首に巻くだけでなく、バンド１０を伸ばした状態で、ズボンや腰５ａに巻いたベルト５ｂなどに髪留めクリップ保持バンド１ｃをクリップ９で掛けて使用することも可能である。尚、クリップ９の一方をバンド１０に縫製などして固定してもよい。
【００４８】
尚、バンド１０の係止帯１０ａを設けた位置から下方に延設帯を設ければ、係止帯１０ａに髪留めクリップ４を留めた際に、髪留めクリップ４の先端がズボン等に接触するのを防止することも可能である。
【実施例５】
【００４９】
図１７は、本発明の実施例５に係る髪留めクリップ保持バンドの斜視図である。図１８は、本発明の実施例５に係る髪留めクリップ保持バンドを装着した図である。
【００５０】
髪留めクリップ保持バンド１ｄは、手首当て１１とバンド１２とからなる。手首当て１１には、複数の係止帯１１ａ、１１ｂと、マグネット１１ｃを設け、手首当て１１が長くなる場合はバンド１２を複数用いることも可能である。また、係止帯１１ａは、複数であっても、１つであってもよい。
【００５１】
手首当て１１を腕方向に長くし、係止帯１１ａ及び係止帯１１ｂを空いた側が横向きになるように取り付ける。また、手首当て１１の内部にマグネット１１ｃを埋め込んで、金属製の小道具を磁石の力で貼り付けられるようにする。
【００５２】
バンド１２及びバンド１２ａは、一端の上面と他端の下面を面ファスナー１２ｂで繰り返し剥離可能に貼着することができる。髪留めクリップ保持バンド１ｄを複数のバンド１２、１２ａで留めることで、装着状態を安定させることができる。
【００５３】
手５に髪留めクリップ保持バンド１ｄを装着して、複数の係止帯１１ａ、１１ｂには、それぞれ髪留めクリップ４を挟み留めることができ、マグネット１１ｃの位置にはピン４ｅなどを磁着させることができる。
【実施例６】
【００５４】
図１９は、本発明の実施例６に係る髪留めクリップ保持バンドの平面図及び正面図である。図２０は、本発明の実施例６に係る髪留めクリップ保持バンドを装着した図である。
【００５５】
髪留めクリップ保持バンド１ｅは、バンド１３と係止帯１４とからなる。バンド１３には係止帯１４を斜めに取り付け、一部にマグネット１３ａも埋め込む。また、バンド１３の内部には巻着材１３ｂも埋め込む。
【００５６】
係止帯１４の空洞が斜めに向かって進んでいるため、髪留めクリップ４を斜めに差し込むことができる。また、係止帯１４には保持材１４ａを埋め込み、アーチ状の形状を維持させる。係止帯１４は複数設けてもよい。
【００５７】
保持材１４ａは、プラスチック製の形状保持帯であり、自由に変形させることが可能で、変形させた後の戻りがほとんどない素材である。金属に比べて非常に軽く、安全性も高く、環境にも優しい。例えば、積水成形工業株式会社製「フォルテ（登録商標）」などが例示できる。
【００５８】
巻着材１３ｂは、スチール等の湾曲させることが可能な薄い板状の金属を用いる。長手方向には両端が下方に丸まっていくような湾曲が付されており、短手方向には両縁が上方に反るような湾曲が付されている。尚、所謂、「巻き尺」などが例示できる。
【００５９】
巻着材１３ｂを伸ばした際は反る力が上回って伸びる形状が維持され、丸める力を加えて丸まる力が反る力を上回ると一気に巻き付いていくという性質を利用して、手首に装着することができる。
【符号の説明】
【００６０】
１        髪留めクリップ保持バンド
１ａ      髪留めクリップ保持バンド
１ｂ      髪留めクリップ保持バンド
１ｃ      髪留めクリップ保持バンド
１ｄ      髪留めクリップ保持バンド
１ｅ      髪留めクリップ保持バンド
２        手首当て
２ａ      切込み
２ｂ      留穴
３        バンド
３ａ      係止部
３ｂ      固定部
３ｃ      留具
３ｄ      ボタン
３ｅ      突金具
４        髪留めクリップ
４ａ      上クリップ
４ｂ      下クリップ
４ｃ      支軸
４ｄ      摘み
４ｅ      ピン
５        手
５ａ      腰
５ｂ      ベルト
６        手首当て
６ａ      延設帯
６ｂ      切込み
６ｃ      留穴
７        係止帯
７ａ      留具
８        バンド
９        クリップ
１０        バンド
１０ａ      係止帯
１１        手首当て
１１ａ      係止帯
１１ｂ      係止帯
１１ｃ      マグネット
１２        バンド
１２ａ      バンド
１２ｂ      面ファスナー
１３        バンド
１３ａ      マグネット
１３ｂ      巻着材
１４        係止帯
１４ａ      保持材
【先行技術文献】
【特許文献】
【００６１】
【特許文献１】実開平０３−９０２号公報
【図１】
2011019824.tif 000003
【図２】
2011019824.tif 000004
【図３】
2011019824.tif 000005
【図４】
2011019824.tif 000006
【図５】
2011019824.tif 000007
【図６】
2011019824.tif 000008
【図７】
2011019824.tif 000009
【図８】
2011019824.tif 000010
【図９】
2011019824.tif 000011
【図１０】
2011019824.tif 000012
【図１１】
2011019824.tif 000013
【図１２】
2011019824.tif 000014
【図１３】
2011019824.tif 000015
【図１４】
2011019824.tif 000016
【図１５】
2011019824.tif 000017
【図１６】
2011019824.tif 000018
【図１７】
2011019824.tif 000019
【図１８】
2011019824.tif 000020
【図１９】
2011019824.tif 000021
【図２０】
2011019824.tif 000022